(57)【要約】      （修正有）【課題】既設の水道蛇口に取り付けることができ、取り付けた状態で、向きを調整できる可燒性ホースを提供する。【解決手段】ホースを蛇口に接続する接続部１１ａ，１１ｂと、一端が接続部に接続され、他端が開放されている、中空部を有する本体部１２と、本体部の中空部に設けられた可撓性の棒状部１３と、を備え、棒状部の少なくとも一部が、接続部及び本体部の少なくとも一部に固定部１４を介して固定されている。【選択図】図１
0003189344.tif 000002
【実用新案登録請求の範囲】
【請求項１】
蛇口に取り付けられる可撓性ホースであって、
前記ホースを前記蛇口に接続する接続部と、
一端が前記接続部に接続され、他端が開放されている、中空部を有する本体部と、
前記本体部の中空部に設けられた可撓性の棒状部と、
を備え、
前記棒状部の少なくとも一部が、前記接続部及び前記本体部の少なくとも一部に固定されている可撓性ホース。
【請求項２】
前記棒状部の少なくとも一部を前記接続部及び前記本体部の少なくとも一部に固定する固定部をさらに備える、
請求項１に記載の可撓性ホース。
【請求項３】
前記固定部には、前記蛇口から流出する水を通す水流通路が設けられている、
請求項２に記載の可撓性ホース。
【請求項４】
前記棒状部の長さは、前記接続部を介して前記本体部が前記蛇口に接続された状態において、前記本体部の開放された端部から突出しない長さである、
請求項１から３のいずれか１項に記載の可撓性ホース。
【請求項５】
前記棒状部の断面形状が楕円形状である、
請求項１から４のいずれか１項に記載の可撓性ホース。
【考案の詳細な説明】
【技術分野】
【０００１】
本考案は、水道の蛇口に取り付けて使用可能な可撓性ホースに関する。
【背景技術】
【０００２】
従来、散水装置の給水本管に取り付けることができる可撓性ホースが知られている。特許文献１には、可撓性ホースの中に、針金等の心棒を設けることにより、ホースの向きを固定できるようにする技術が開示されている。
【先行技術文献】
【特許文献】
【０００３】
【特許文献１】公開実用新案平成０３−１３８８号公報
【考案の概要】
【考案が解決しようとする課題】
【０００４】
従来の可撓性ホースにおいては、ホース内を水が流れても心棒が移動しないように、給水本管内に心棒が固定されている。このような構成により、水が流れることで心棒が移動することを防止できる。
【０００５】
しかし、従来のホースにおいては給水本管内に心棒が固定されているので、ホース内に心棒を装着した状態で、給水管との間で着脱することができなかった。すなわち、従来は、給水管の製造時に心棒を給水管に固定した後に、ホースに心棒を通して、ホースを給水管に装着する必要があった。したがって、既に設置されている水道の蛇口に、心棒を装着した状態の可撓性ホースを接続することはできなかった。
【０００６】
そこで、本考案はこれらの点に鑑みてなされたものであり、水道の蛇口に取り付けた状態で向きを調整できる可撓性ホースを提供することを目的とする。
【課題を解決するための手段】
【０００７】
本考案に係る可撓性ホースは、蛇口に取り付けられる可撓性ホースであって、前記ホースを前記蛇口に接続する接続部と、一端が前記接続部に接続され、他端が開放されている、中空部を有する本体部と、前記本体部の中空部に設けられた可撓性の棒状部と、を備え、前記棒状部の少なくとも一部が、前記接続部及び前記本体部の少なくとも一部に固定されている。
【０００８】
前記棒状部の少なくとも一部を前記接続部及び前記本体部の少なくとも一部に固定する固定部をさらに備えてもよい。また、前記固定部には、前記蛇口から流出する水を通す水流通路が設けられていてもよい。
【０００９】
前記棒状部の長さは、例えば、前記接続部を介して前記本体部が前記蛇口に接続された状態において、前記本体部の開放された端部から突出しない長さである。
また、前記棒状部の断面形状は、例えば楕円形状である。
【考案の効果】
【００１０】
本考案によれば、水道の蛇口に取り付けた状態で向きを調整できるという効果を奏する。
【図面の簡単な説明】
【００１１】
【図１】ホースが蛇口に取り付けられた状態を示す図である。
【図２】固定部及び棒状部の形状を示す図である。
【図３】水が流れる方向における、ホースが蛇口に接続される位置付近の断面図である。
【図４】図１におけるＡ−Ａ断面図である。
【考案を実施するための形態】
【００１２】
図１は、ホース１が蛇口２に取り付けられた状態を示す図である。
ホース１は、接続部１１と、本体部１２と、棒状部１３と、固定部１４とを備える。本体部１２が蛇口２に装着された状態で接続部１１を締め付けることにより、ホース１が蛇口２に固定される。
【００１３】
接続部１１は、ホース１を蛇口２に接続する部材である。接続部１１は、ホース１と蛇口２とが接続される位置の外側においてホース１及び蛇口２に接する内側接続部１１ｂと、ホース１と蛇口２とが接続される位置の外側において内側接続部１１ｂの外周に接する外側接続部１１ａとを有する。内側接続部１１ｂは、ゴム又は軟質樹脂のような柔軟性を有する部材により構成されており、蛇口２に固定された状態の本体部１２を押し付けることで、本体部１２を蛇口２に密着させる。外側接続部１１ａは、内側接続部１１ａよりも硬い樹脂や金属で構成されている。
【００１４】
外側接続部１１ａと内側接続部１１ｂとは、例えば螺旋状の溝を介して互いに接続される。具体的には、ユーザは、本体部１２を蛇口２に装着した状態で外側接続部１１ａを回転させることで、内側接続部１１ｂを締め付けることができる。
【００１５】
本体部１２は、一端が内側接続部１１ｂに接続され、他端が開放されている。本体部１２は、例えばゴムにより形成されている。本体部１２は、細長い円筒形状をしており、蛇口２から流れ出る水を通すための中空部を有する。蛇口２から流れ出た水は、接続部１１に接続された側から本体部１２の中空部に入り、開放された他端から放出される。
【００１６】
棒状部１３は、本体部１２の中空部に設けられており、可撓性を有する部材である。例えば、棒状部１３は、アルミニウムにより構成されており、ユーザが力を加えることにより、向きを自在に変えることができる。
【００１７】
棒状部１３の長さは、接続部１１を介して本体部１２が蛇口２に接続された状態において、本体部１２の開放された端部から突出しない長さである。一例として、棒状部１３の長さは、接続部１１を介して本体部１２が蛇口２に接続された状態において、蛇口２から本体部１２の開放された端部までの長さ以下である。棒状部１３が上記の長さであることにより、棒状部１３の先端が本体部１２の開放側の端部から突出しないので、美観を損ねることを防止できる。
【００１８】
また、棒状部１３の断面形状は、例えば円形である。棒状部１３の断面形状が円形である場合には、ユーザは棒状部１３を任意の向きに変形させることができる。
棒状部１３の断面形状は、楕円形であってもよい。棒状部１３の断面形状が楕円形である場合には、ユーザは、２つの向きに曲げやすく、他の向きに曲げにくくなる。したがって、ユーザは、ホース１の向きを、使用頻度が高い向きに調整して固定しやすくなる。
【００１９】
棒状部１３の少なくとも一部は、接続部１１及び本体部１２の少なくとも一部に固定されている。例えば、棒状部１３は、接続部１１及び本体部１２の少なくとも一部に設けられた固定部１４に接続されることで、接続部１１及び本体部１２の少なくとも一部に固定される。
【００２０】
固定部１４は、棒状部１３の少なくとも一部を接続部１１及び本体部１２の少なくとも一部に固定する。図２は、固定部１４及び棒状部１３の形状を示す図である。
【００２１】
固定部１４は、例えば樹脂により構成された円柱状の部材である。固定部１４の中央には、棒状部１３が挿入されることで棒状部１３を固定する穴１４２が設けられている。穴１４２の形状は、棒状部１３の断面形状とほぼ同じ形状である。また、穴１４２の大きさは、棒状部１３の先端領域の断面の大きさとほぼ等しく、かつ、棒状部１３の先端領域の断面の大きさよりも大きい。
【００２２】
また、穴１４２の外側には、蛇口２から流出する水を通す水流通路１４１が設けられている。図２に示す固定部１４においては、それぞれ９０度離れた位置に、水流通路１４１として機能する４つのＵ字型の溝が形成されている。水流通路１４１は、このような溝の代わりに、棒状部１３の挿入方向に固定部１４を貫通する穴であってもよい。
【００２３】
図３は、水が流れる方向における、ホース１が蛇口２に接続される位置付近の断面図である。本体部１２の中空部に固定部１４が設けられており、蛇口２に本体部１２が装着された状態で、固定部１４の一端が蛇口２に接している。また、固定部１４の中央の穴１４２に棒状部１３が挿入された状態で固定されている。蛇口２から流出した水は、固定部１４の水流通路１４１を経由して、本体部１２の中空部を流れる。
【００２４】
本体部１２と蛇口２とが重なっている領域の外側には、内側接続部１１ｂが設けられており、内側接続部１１ｂの外側に外側接続部１１ａが設けられていることがわかる。外側接続部１１ａを締め付けることにより内側接続部１１ｂに生じる内向きの力により、本体部１２が蛇口２に押し付けられ、本体部１２が蛇口２に密着することがわかる。
【００２５】
図４は、図１におけるＡ−Ａ断面図である。図４に示すように、内側接続部１１ｂは、複数の扇形部を有している。隣接する扇形部の間には隙間が設けられており、外側接続部１１ａが回転して内側接続部１１ｂを締め付けることにより、扇形部が変形する。複数の扇形部の間に隙間が設けられていることにより、扇形部が変形しても、隣接する扇形部と干渉しない。したがって、内側接続部１１ｂは、本体部１２を押し付けながら変形する。その結果、内側接続部１１ｂに内向きの力が加わることで、本体部１２が蛇口２に密着する。
【００２６】
［本実施形態における効果］
以上のとおり、本実施形態に係るホース１は、内部に柔軟性を有する棒状部１３が設けられており、当該棒状部１３が、接続部１１又は本体部１２に固定されている。したがって、ホース１は、ユーザがホース１の向きを自由に変えた状態を維持することができるとともに、既設の蛇口２に容易に取り付けることができる。このように、ホース１は、ユーザが手でおさえることなく、蛇口から水が流れ出る向きを固定できるので、ユーザは、最適な向きにホースの向きを調整した状態で両手を洗うことが可能になる。
【００２７】
以上、本考案を実施の形態を用いて説明したが、本考案の技術的範囲は上記実施の形態に記載の範囲には限定されない。上記実施の形態に、多様な変更又は改良を加えることが可能であることが当業者に明らかである。そのような変更又は改良を加えた形態も本考案の技術的範囲に含まれ得ることが、実用新案登録請求の範囲の記載から明らかである。
【００２８】
例えば、上記の説明において、内側接続部１１ｂが複数の扇形部を有するものとして説明したが、内側接続部１１ｂの形状はこれに限らない。内側接続部１１ｂをゴムで形成することで、扇形部を有することなく、同等の効果を得ることも可能である。
【符号の説明】
【００２９】
１  ホース
２  蛇口
１１  接続部
１１ａ  外側接続部
１１ｂ  内側接続部
１２  本体部
１３  棒状部
１４  固定部
１４１  水流通路
１４２  穴
【図１】
0003189344.tif 000003
【図２】
0003189344.tif 000004
【図３】
0003189344.tif 000005
【図４】
0003189344.tif 000006